(57)【要約】【課題】自装置と離れた位置にある外部端末からポーリング受信やプルプリント等を実行する指示を受けた場合に、印刷物ののぞき見や持ち去り等による情報漏洩を、ユーザが意識的な操作を行うことなく防止することができる画像形成装置を提供する。【解決手段】  外部の装置から画像を取得し印刷する第１指示を、自装置に設置された操作部が受けた場合は、当該第１指示に従って外部の装置から画像を取得し、その取得した画像の印刷を行う。第１指示を通信部が受けた場合は、外部の装置から画像を取得後、その取得した画像を記憶部に保存するが、印刷は行わない。【選択図】図６
2015002480.tif 000002
【特許請求の範囲】
【請求項１】
外部装置から画像を取得する取得部と、
記憶部と、
印刷部と、
自装置に設けられた操作部と、
外部端末から自装置に対する指示を受信する通信部と、
外部装置から画像を取得して前記印刷部で印刷する動作の実行を指示する第１指示を前記操作部で受けた場合は、前記第１指示に従って外部装置から画像を取得して前記印刷部で印刷し、前記第１指示を前記通信部が受信した場合は、前記第１指示に従って外部装置から画像を取得し、該画像を前記印刷部で印刷せずに前記記憶部に保存するよう制御する制御部と、
を備える
ことを特徴とする画像形成装置。
【請求項２】
前記制御部は、前記記憶部に記憶されている画像を読み出して前記印刷部で印刷する動作の実行を指示する第２指示を前記操作部で受けた場合は、該第２指示で指示された印刷を行わず、前記第２指示を前記通信部が受信した場合は、前記第２指示に従って前記記憶部から画像を読み出し前記印刷部で印刷するよう制御する
ことを特徴とする請求項１に記載の画像形成装置。
【請求項３】
前記制御部は、
前記通信部が前記第１指示を受信した場合は、前記第１指示の送信元の外部端末の識別情報を、前記第１指示に従って外部装置から取得して前記記憶部に保存した画像に関連付けし、
前記通信部が前記第２指示を受信した場合は、前記第２指示の送信元の外部端末の識別情報と同一の識別情報が関連付けされている画像を前記記憶部から読み出して前記印刷部で印刷する
よう制御する
ことを特徴とする請求項２に記載の画像形成装置。
【請求項４】
前記取得部は、ファクシミリ通信におけるポーリング受信、もしくはネットワークのプルプリントにて、外部装置から画像を取得する
ことを特徴とする請求項１乃至３のいずれか１つに記載の画像形成装置。
【請求項５】
前記制御部は、前記通信部が前記第１指示を受信した場合は、前記第１指示に従って外部装置から取得して前記記憶部に保存した画像もしくは該画像の縮小画像を、前記第１指示の送信元の外部端末に送信して表示させる
ことを特徴とする請求項１乃至４のいずれか１つに記載の画像形成装置。
【請求項６】
前記通信部と前記外部端末との接続状態を判断する判断部を更に備え、
前記制御部は、前記第２指示を前記通信部で受信したとき、該第２指示の送信元の外部端末に関する前記判断部の判断結果に基づいて、前記第２指示の示す印刷を実行するか否かを決定する
ことを特徴とする請求項２に記載の画像形成装置。
【請求項７】
前記判断部は、前記通信部に前記外部端末が有線で接続されているか否かを判断し、
前記制御部は、前記判断部の判断結果が前記通信部に前記外部端末が有線で接続されていることを示す場合に、前記第２指示の示す印刷を実行する
ことを特徴とする請求項６に記載の画像形成装置。
【請求項８】
前記通信部は、無線通信によって前記外部端末と通信し、
前記判断部は、前記外部端末と前記通信部との通信における電波強度が所定値以上か否かを判断し、
前記制御部は、前記判断部の判断結果が、前記電波強度が所定値以上であることを示す場合に、前記第２指示の示す印刷を実行する
ことを特徴とする請求項６または７に記載の画像形成装置。
【請求項９】
前記外部端末が装着される接合部を更に備え、
前記判断部は、前記接合部に前記外部端末が装着されているか否かを判断し、
前記制御部は、前記判断部の判断結果が前記接合部に前記外部端末が装着されていることを示す場合に、前記第２指示の示す印刷を実行する
ことを特徴とする請求項６乃至８のいずれか１つに記載の画像形成装置。
【請求項１０】
前記判断部は、前記外部端末までの距離が所定の短距離以内か否かを判断し、
前記制御部は、前記判断部の判断結果が所定の短距離以内であることを示す場合に、前記第２指示の示す印刷を実行する
ことを特徴とする請求項６に記載の画像形成装置。
【発明の詳細な説明】
【技術分野】
【０００１】
本発明は、外部端末からの指示によって、外部装置から画像を取得し、印刷する画像形成装置に関する。
【背景技術】
【０００２】
オフィスなどでは、画像形成装置としての機能を持つ一台の複合機（ＭＦＰ（Multifunction Peripheral））を複数人で使用する場合がある。たとえば、各ユーザは、自身の所持する端末からジョブをＭＦＰに送信し、ＭＦＰに当該ジョブを実行させる。
【０００３】
ＭＦＰに実行させるジョブとしては、たとえば、ポーリング受信やプルプリントのように外部装置から画像を取得して印刷するジョブがある。下記の特許文献１、２には、外部端末から指示を受けてポーリング受信する装置が記載されている。
【０００４】
たとえば、特許文献１には、ファクシミリ手順でポーリング受信する機能のない外部端末からの指示により、この外部端末に代わってファクシミリ装置に対してポーリング受信を行って画像を取得して保存し、その保存した画像を外部端末に転送する中継機が開示されている（特許文献１参照）。
【０００５】
特許文献２には、ＭＦＰがポーリング受信によって取得した画像データを蓄積するか、もしくは出力するかの受信モードを外部端末から設定する方法が開示されている。特許文献２では、ＭＦＰは、外部端末にファイルＩＤ（Identification）を発行しておき、外部端末からポーリング受信を実行する指示を受けると、その外部端末によって設定された受信モードに従って、ポーリング受信した画像データを蓄積、もしくは出力する（特許文献２参照）。
【先行技術文献】
【特許文献】
【０００６】
【特許文献１】特開２００７−３２９７２８号公報
【特許文献２】特開平７−２８８６２８号公報
【発明の概要】
【発明が解決しようとする課題】
【０００７】
ところで、ＭＦＰ本体の近くに居ないユーザが外部端末からＭＦＰに、ポーリング受信の実行を指示すると、その離れた場所からユーザがＭＦＰ本体に印刷物を取りに来るまでの間に、ＭＦＰ本体にて出力された機密文書が他人に見られてしまう恐れがあり、セキュリティ上の問題がある。
【０００８】
上記の特許文献１では、そもそも印刷機能を具備しない中継機なので、外部端末からの指示でポーリング受信を行って取得した画像はその外部端末に転送され、該中継機で印刷されることはなく、上記のような問題は発生しない。しかし、この場合、外部端末側で印刷機能を備えて印刷しなければならない。
【０００９】
上記の特許文献２では、外部端末からＭＦＰを操作するユーザがＭＦＰ本体から離れていても、ポーリング受信で取得した画像データを蓄積する受信モードに設定しておけば、当該画像データが出力されないので、前述の問題は解消される。
【００１０】
しかし、予め受信モードを設定するのは手間がかかる。受信モードの設定を忘れたまま、ポーリング受信を指示した場合、ＭＦＰは、当該指示に従って取得した画像データを印刷してしまう。その場合、印刷物が、第３者にのぞき見されたり、持ち去られてしまうといった情報漏洩が起こる可能性がある。よって、受信モードの設定を行うことなく、これらの情報漏洩を防止することが望まれる。
【００１１】
本発明は、上記の問題を解決しようとするものであり、外部端末から指示されたポーリング受信やプルプリント等によって取得した画像の印刷機能を持ちつつ、その印刷物がのぞき見されたり持ち去られたりすることによる情報漏洩を、ユーザが意識的な操作を行うことなく防止することができる画像形成装置を提供することを目的としている。
【課題を解決するための手段】
【００１２】
かかる目的を達成するための本発明の要旨とするところは、次の各項の発明に存する。
【００１３】
［１］外部装置から画像を取得する取得部と、
記憶部と、
印刷部と、
自装置に設けられた操作部と、
外部端末から自装置に対する指示を受信する通信部と、
外部装置から画像を取得して前記印刷部で印刷する動作の実行を指示する第１指示を前記操作部で受けた場合は、前記第１指示に従って外部装置から画像を取得して前記印刷部で印刷し、前記第１指示を前記通信部が受信した場合は、前記第１指示に従って外部装置から画像を取得し、該画像を前記印刷部で印刷せずに前記記憶部に保存するよう制御する制御部と、
を備える
ことを特徴とする画像形成装置。
【００１４】
上記発明では、外部装置から画像を取得し印刷する第１指示を操作部が受けた場合は、当該第１指示に従って外部装置から画像を取得し印刷する。一方、第１指示を通信部が受けた場合は、外部装置から画像を取得後、印刷せずに記憶部に保存する。外部端末から第１指示を受けた場合は取得した画像を出力しないので、自装置から離れた位置の外部端末から第１指示が送信された場合に、印刷物ののぞき見や持ち去り等による情報漏洩を、ユーザが意識的な操作を行うことなく防止することができる。
【００１５】
［２］前記制御部は、前記記憶部に記憶されている画像を読み出して前記印刷部で印刷する動作の実行を指示する第２指示を前記操作部で受けた場合は、該第２指示で指示された印刷を行わず、前記第２指示を前記通信部が受信した場合は、前記第２指示に従って前記記憶部から画像を読み出し前記印刷部で印刷するよう制御する
ことを特徴とする［１］に記載の画像形成装置。
【００１６】
上記発明では、記憶部に記憶された画像を読み出して印刷する第２指示を操作部が受けた場合は、当該印刷を行わず、第２指示を通信部が受けた場合は、第２指示に従って印刷を行う。これにより、第１指示を投入した外部端末の操作者以外のユーザが、勝手に保存されている画像を印刷して持ち去ってしまうといった情報漏洩を防止することができる。
【００１７】
［３］前記制御部は、
前記通信部が前記第１指示を受信した場合は、前記第１指示の送信元の外部端末の識別情報を、前記第１指示に従って外部装置から取得して前記記憶部に保存した画像に関連付けし、
前記通信部が前記第２指示を受信した場合は、前記第２指示の送信元の外部端末の識別情報と同一の識別情報が関連付けされている画像を前記記憶部から読み出して前記印刷部で印刷する
よう制御する
ことを特徴とする［２］に記載の画像形成装置。
【００１８】
上記発明では、第１指示によって取得した画像を印刷することなく保存する場合、当該画像と、第１指示の送信元の装置の識別情報を関連付けて保存する。そして、第２指示を受けた場合、その送信元の装置の識別情報と、関連付けられている識別情報が一致する画像を読み出して印刷を行う。第１指示、第２指示を送信する外部端末が複数ある場合でも、第１指示と第２指示の送信元の外部端末が一致する場合のみ第２指示に従って印刷を行う。よって、第１指示の送信元の外部端末の操作者以外のユーザが、勝手に保存されている画像を印刷して持ち去ってしまうといった情報漏洩を防止することができる。
【００１９】
［４］前記取得部は、ファクシミリ通信におけるポーリング受信、もしくはネットワークのプルプリントにて、外部装置から画像を取得する
ことを特徴とする［１］乃至［３］のいずれか１つに記載の画像形成装置。
【００２０】
［５］前記制御部は、前記通信部が前記第１指示を受信した場合は、前記第１指示に従って外部装置から取得して前記記憶部に保存した画像もしくは該画像の縮小画像を、前記第１指示の送信元の外部端末に送信して表示させる
ことを特徴とする［１］乃至［４］のいずれか１つに記載の画像形成装置。
【００２１】
上記発明では、通信部が第１指示を受けた場合、取得した画像を記憶部に保存するとともに、第１指示の送信元の外部端末にその画像を送信する。これにより、第１指示の送信元の外部端末の操作者は、取得した画像を確認することができる。
【００２２】
［６］前記通信部と前記外部端末との接続状態を判断する判断部を更に備え、
前記制御部は、前記第２指示を前記通信部で受信したとき、該第２指示の送信元の外部端末に関する前記判断部の判断結果に基づいて、前記第２指示の示す印刷を実行するか否かを決定する
ことを特徴とする［２］に記載の画像形成装置。
【００２３】
上記発明では、通信部が第２指示を受けた場合、その第２指示の送信元の外部端末との接続状態に応じて、記憶部内の画像を読み出して印刷するか否かを決定する。たとえば、近距離ではなく長距離での通信によって接続されている状態であれば、当該印刷を行わないように決定する。
【００２４】
［７］前記判断部は、前記通信部に前記外部端末が有線で接続されているか否かを判断し、
前記制御部は、前記判断部の判断結果が前記通信部に前記外部端末が有線で接続されていることを示す場合に、前記第２指示の示す印刷を実行する
ことを特徴とする［６］に記載の画像形成装置。
【００２５】
上記発明では、自装置と第２指示を送信する外部端末が有線で接続されている場合に、第２指示の示す印刷を実行する。有線で接続されている場合は、自装置と外部端末の距離が近距離であると推測される。よって、第２指示の送信を外部端末で指示したユーザが自装置に到着するまでの間に、印刷された記録紙ののぞき見や、持ち去られてしまうといった情報漏洩を防止することができる。
【００２６】
［８］前記通信部は、無線通信によって前記外部端末と通信し、
前記判断部は、前記外部端末と前記通信部との通信における電波強度が所定値以上か否かを判断し、
前記制御部は、前記判断部の判断結果が、前記電波強度が所定値以上であることを示す場合に、前記第２指示の示す印刷を実行する
ことを特徴とする［６］または［７］に記載の画像形成装置。
【００２７】
上記発明では、無線接続における電波強度が所定値以上か否かを判断し、電波強度が所定値以上であると判断した場合に、第２指示の示す印刷を行う。電波強度が所定値以上であれば、自装置と通信中の外部端末の距離が近距離であり、電波強度が所定値未満であれば、自装置と通信中の外部端末の距離が長距離であると推測される。自装置と外部端末の距離が近距離の場合のみ印刷が行われるので、第２指示の送信を外部端末で指示したユーザが自装置に到着するまでの間に、印刷された記録紙ののぞき見や、持ち去られてしまうといった情報漏洩を防止することができる。
【００２８】
［９］前記外部端末が装着される接合部を更に備え、
前記判断部は、前記接合部に前記外部端末が装着されているか否かを判断し、
前記制御部は、前記判断部の判断結果が前記接合部に前記外部端末が装着されていることを示す場合に、前記第２指示の示す印刷を実行する
ことを特徴とする［６］乃至［８］のいずれか１つに記載の画像形成装置。
【００２９】
上記発明では、自装置に外部端末が装着されているか否かを判断し、装着されていると判断した場合に、第２指示の示す印刷を行う。自装置に外部端末が装着されていれば、当該外部端末から第２指示の送信を指示するユーザは、自装置の手前にいるはずなので、印刷された記録紙ののぞき見や、持ち去られてしまうといった情報漏洩を防止することができる。
【００３０】
［１０］前記判断部は、前記外部端末までの距離が所定の短距離以内か否かを判断し、
前記制御部は、前記判断部の判断結果が所定の短距離以内であることを示す場合に、前記第２指示の示す印刷を実行する
ことを特徴とする［６］に記載の画像形成装置。
【００３１】
上記発明では、自装置と外部端末との距離が近距離の場合に第２指示の示す印刷を行う。自装置と外部端末の距離が近距離の場合のみ印刷が行われるので、第２指示の送信を外部端末で指示したユーザが自装置に到着するまでの間に、印刷された記録紙ののぞき見や、持ち去られてしまうといった情報漏洩を防止することができる。
【００３２】
自装置と外部端末までの距離が所定の短距離以内か否かを判断する方法としては、たとえば、ＧＰＳ（Global Positioning System）等によって得た位置情報から当該距離を算出したり、外部装置との無線通信において電波強度が一定以上であるか否かによって自装置と外部端末の距離が所定の短距離以内か否かを判断してもよい。また、当該外部端末が自装置に装着されている場合に自装置と外部端末の距離が所定の短距離以内であると判断してもよい。
【発明の効果】
【００３３】
本発明に係る画像形成装置によれば、自装置と離れた位置にある外部端末からポーリング受信やプルプリント等を実行する指示を受けた場合に、印刷物ののぞき見や持ち去り等による情報漏洩を、ユーザが意識的な操作を行うことなく防止することができる。
【図面の簡単な説明】
【００３４】
【図１】本発明の実施の形態に係るプリントシステムを示す図である。
【図２】画像形成装置の概略構成を示すブロック図である。
【図３】リモートパネルの概略構成を示すブロック図である。
【図４】通信確立時にリモートパネルが行う処理を示す流れ図である。
【図５】通信確立時に画像形成装置が行う処理を示す流れ図である。
【図６】第１指示を投入された際に画像形成装置が行う処理を示す流れ図である。
【図７】第２指示を投入された際に画像形成装置が行う処理を示す流れ図である。
【図８】接続状態判定処理を示す流れ図である。
【図９】リモートパネと画像形成装置を接合させる様子を示す図である。
【発明を実施するための形態】
【００３５】
以下、図面に基づき本発明の実施の形態を説明する。
【００３６】
図１は、本発明の実施の形態に係る画像形成装置１０を含むプリントシステム７を示す。プリントシステム７は、画像形成装置１０と、２台のリモートパネル４０（４０Ａ、４０Ｂ）が無線ＬＡＮであるＬＡＮ３を介して接続されている。また、画像形成装置１０には電話回線５を介してファクシミリ装置７０が、ネットワーク網６を介して複合機６０が接続されて構成されている。なお、画像形成装置１０は有線ＬＡＮで接続されているルータ８０を介してＬＡＮ３と接続されているが、以後、ＬＡＮ３と直接接続されているものとして説明する。なお２台のリモートパネル４０（４０Ａ、４０Ｂ）のうち、任意のいずれか一台を指す場合はリモートパネル４０と示す。リモートパネル４０は１台でも、３台以上の任意の台数でもよい。
【００３７】
画像形成装置１０は、原稿を光学的に読み取ってその複製画像を記録紙に印刷するコピージョブ、読み取った原稿の画像データをファイルにして保存したり外部装置へ送信したりするスキャンジョブ、外部の装置から送信されたデータに係る画像を記録紙に印刷して出力するプリントジョブなどのジョブを実行する機能を備えた、所謂、複合機である。本発明の実施の形態では、画像形成装置１０は、プルプリントやポーリング受信等のジョブを実行する。
【００３８】
プルプリントとは、ネットワーク網６を通じて外部の装置（複合機６０）から画像を取得後、その取得した画像を印刷するジョブである。ポーリング受信とは、電話回線５を通じてファクシミリ機能を持つ装置（ファクシミリ装置７０）から画像を取得後、その取得した画像を印刷するジョブである。
【００３９】
ファクシミリ装置７０は、ファクシミリ機能を持つ装置である。本発明の実施の形態では、画像形成装置１０がポーリング受信を行う場合、電話回線５を通じて画像形成装置１０に画像を送信する。複合機６０はスキャナやプリンタ、記憶装置等としての機能を備えている。本発明の実施の形態では、画像形成装置１０がプルプリントを行う際には、複合機６０からネットワーク網６を通じて画像を取得する。
【００４０】
リモートパネル４０は、持ち運びが可能な携帯端末であり、画像形成装置１０と通信を確立したら、画像形成装置１０に対して指示を送信する機能を果たす。本発明の実施の形態では、リモートパネル４０と画像形成装置１０が通信を確立したら、ユーザはリモートパネル４０を介して画像形成装置１０の操作を行うことができる。たとえば、ユーザは当該操作によって、ポーリング受信やプルプリント等のジョブの実行を指示することができる。
【００４１】
ルータ８０は、画像形成装置１０と他の装置がＬＡＮ３を介してデータの送受信を行う際に、当該データを中継する中継器としての役割を果たす。
【００４２】
画像形成装置１０は、後述する表示部３１と操作部３２を含む操作表示部３０を本体に固定的に備えている。ユーザは、操作表示部３０からプルプリントやポーリング受信等のジョブの実行を指示することも可能である。
【００４３】
画像形成装置１０は、ポーリング受信やプルプリント等のように、外部の装置から画像を取得し印刷するジョブ（動作）を実行する指示（以後、第１指示とする）を操作表示部３０から受けた場合は、当該第１指示に従って画像を取得し、印刷する。一方、第１指示をリモートパネル４０から受信した場合は、当該第１指示に従って画像を取得後、その画像を印刷せずに保存する。画像形成装置１０と離れた位置にあるリモートパネル４０から第１指示を投入した場合に、特別な操作を行わなくとも、外部の装置から取得した画像を出力しないので、印刷された記録紙がのぞき見されてしまう、持ち去られてしまうといった情報漏洩の発生を防ぐことができる。
【００４４】
なお、第１指示をリモートパネル４０から受信した場合は、外部の装置から取得した画像は、後述するハードディスク装置１５内において当該リモートパネル４０に対応付けられた記憶領域に保存する。画像形成装置１０は、予め各リモートパネル４０の識別情報（パネルＩＤ）を登録しておき、各リモートパネル４０に専用の記憶領域を割り当てておく。本発明の実施の形態では、この専用の記憶領域をボックスと呼ぶ。たとえば、パネルＩＤ００１のリモートパネル４０から第１指示を受けた場合は、外部の装置から取得した画像をパネルＩＤ００１に対応するボックスに格納する。
【００４５】
図２は、画像形成装置１０の概略構成を示している。画像形成装置１０は、当該画像形成装置１０の動作を制御するＣＰＵ（Central Processing Unit）１１と、このＣＰＵ１１に接続されたＲＯＭ（Read Only Memory）１２と、ＲＡＭ（Random Access Memory）１３と、不揮発メモリ１４と、ハードディスク装置１５と、画像処理部１６と、プリンタ部１７と、スキャナ部１８と、ネットワークＩ／Ｆ部１９と、ファクシミリ通信部２２と、リモートパネル接合判断部２４と、電源制御部２５と、遠隔制御判断部２６と、操作表示部３０を備えて構成されている。
【００４６】
ＣＰＵ１１はＯＳ（Operating System）プログラムをベースとし、その上で、ミドルウェアやアプリケーションプログラムなどが実行される。ＲＯＭ１２には各種のプログラムが格納されており、これらのプログラムに従ってＣＰＵ１１が処理を実行することでジョブの実行など画像形成装置１０の各機能が実現される。ＲＡＭ１３はＣＰＵ１１がプログラムを実行する際に各種のデータを一時的に格納するワークメモリや画像データを格納する画像メモリなどとして使用される。
【００４７】
不揮発メモリ１４は、電源がオフにされても記憶が保持できる書き換え可能なメモリ（フラッシュメモリ）である。不揮発メモリ１４には、装置固有の情報や各種の設定情報などが記憶される。ハードディスク装置１５は、大容量の不揮発の記憶装置であり、ＯＳプログラムや各種アプリケーションプログラム、印刷データや画像データ、ジョブに係る情報履歴やリモートパネル４０のＩＤなどが保存される。
【００４８】
画像処理部１６は、画像の拡大縮小、回転などの処理のほか、印刷データをイメージデータに変換するラスタライズ処理、画像データの圧縮、伸張処理を行う。
【００４９】
プリンタ部１７は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置などを有し、電子写真プロセスによって画像形成を行う、所謂、レーザープリンタとして構成されている。画像形成出力（印刷）を行う際は、主走査方向への１ライン分の画像形成を繰り返しつつ、画像形成の対象物（記録紙）を副走査方向に移動させることによって、記録紙上に２次元の画像が形成される。
【００５０】
スキャナ部１８は、原稿を光学的に読み取って画像データを取得する機能を果たす。スキャナ部１８は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００５１】
ネットワークＩ/Ｆ部１９は、無線ＬＡＮモジュール２０と、ＮＩＣ（Network Interface Card）２１を備えており、ＬＡＮ３やネットワーク網６を通じて外部の装置（リモートパネル４０や複合機６０）と通信を行う。本発明の実施の形態では、たとえば、リモートパネル４０との間で画像形成装置１０の操作に係る制御情報や、画像などの送受信を行う。
【００５２】
無線ＬＡＮモジュール２０は有線でルータ８０と接続されている。無線ＬＡＮモジュール２０を使用して通信を行う場合は、ルータ８０を介してデータの送受信を行う。無線ＬＡＮモジュール２０は、ルータ８０と外部端末（たとえばリモートパネル４０）間での無線通信における電波強度を測定することができる。
【００５３】
ユーザが通信を行う機器（たとえばリモートパネル４０）と画像形成装置１０をケーブル等の有線で直接接続した場合は、データの送受信はＮＩＣ２１を使用して行われる。
【００５４】
ファクシミリ通信部２２は、モデム・ＮＣＵ（Network Control Unit）２３を備えており、電話回線５を通じて外部のファクシミリ装置７０と画像データを送受信する機能を果たす。ファクシミリ通信の手順は、ＩＴＵ−Ｔ（International Telecommunication Union Telecommunication standardization sector：国際電気通信連合電気通信標準化セクタ）の国際標準規格Ｔ．３０に準拠する。
【００５５】
リモートパネル接合判断部２４は、画像形成装置１０の本体上（実施の形態では操作表示部３０の下部（図９参照））に設けられた接合部にリモートパネル４０が装着されているか否かを判断する。たとえば、接合部にリモートパネル４０を装着した際に、画像形成装置１０とリモートパネル４０が通信可能となるよう、当該接合部とリモートパネル４０に所定のインターフェース３５（図９参照）（赤外線センサや、ＵＳＢ（Universal Serial Bus）等）を設置しておく。そして、当該インターフェース３５による通信が可能であれば、リモートパネル４０が接合部に装着されていると判断する。上記は一例であり、リモートパネル４０が接合部に装着していることの検知は別のセンサや方法を使用してもかまわない。
【００５６】
電源制御部２５は、画像形成装置１０を構成する各部への電力供給を制御する。
【００５７】
遠隔制御判断部２６は、操作表示部３０から操作を受け付けているのか、通信中のリモートパネル４０から操作を受けているのかを判断する。たとえば、操作表示部３０から第１指示が投入されたのか、リモートパネル４０から第１指示が投入されたのかを判断する。ＣＰＵ１１は、第１指示が投入されたら、遠隔制御判断部２６の判断によっては、異なる処理を行う。
【００５８】
操作表示部３０は、表示部３１と操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。操作表示部３０が表示する表示内容の制御、操作表示部３０による操作の受け付けに関する制御はＣＰＵ１１が行う。
【００５９】
タッチパネル部３４は、表示部３１上に設けられている。タッチパネル部３４は、タッチペンや指などで押下された表示部３１上のタッチ位置（座標位置）や、フリック操作やドラッグ操作等を検出する。また、ＣＰＵ１１は、継続的に検出されるタッチ位置の変化（操作情報）から、ユーザによる手書き入力等を認識する。
【００６０】
図３は、リモートパネル４０の概略構成を示している。リモートパネル４０は、当該リモートパネル４０の動作を制御するＣＰＵ４１と、このＣＰＵ４１に接続されたＲＯＭ４２と、ＲＡＭ４３と、不揮発メモリ４４と、ハードディスク装置４５と、電源制御部４６と、ネットワークＩ／Ｆ部４７と、装置接合部４９と、操作表示部５０とを備えて構成されている。
【００６１】
ＣＰＵ４１はＯＳプログラムをベースとし、その上で、ミドルウェアやアプリケーションプログラムなどが実行される。ＲＯＭ４２には各種のプログラムが格納されており、これらのプログラムに従ってＣＰＵ４１が処理を実行することでジョブの送信などリモートパネル４０の各機能が実現される。ＲＡＭ４３はＣＰＵ４１がプログラムを実行する際に各種のデータを一時的に格納するワークメモリなどとして使用される。
【００６２】
不揮発メモリ４４は、電源がオフにされても記憶が保持できる書き換え可能なメモリ（フラッシュメモリ）である。不揮発メモリ４４には、端末固有の情報や各種の設定情報などが記憶される。本発明の実施の形態では、端末固有の識別情報として装置ＩＤ（パネルＩＤ）が記憶されている。
【００６３】
ハードディスク装置４５は、大容量の不揮発の記憶装置であり、ＯＳプログラムや、画像形成装置１０の操作を行うための操作アプリケーションなどの各種アプリケーションプログラム、画像データなどが保存される。
【００６４】
電源制御部４６は、リモートパネル４０を構成する各部への電源供給を制御する。
【００６５】
ネットワークＩ/Ｆ部４７は、無線ＬＡＮモジュール４８を含み、ＬＡＮ３を通じて画像形成装置１０と通信を行う。
【００６６】
装置接合部４９は、画像形成装置１０の接合部に設けられたインターフェース３５（図９参照）を通じて通信を行うための機構である。リモートパネル４０を画像形成装置１０の接合部に装着した場合に、そのインターフェース３５を通じた通信が可能となる。たとえば、インターフェース３５がＵＳＢコネクタの接続口である場合は、ＵＳＢのコネクタが装置接合部４９となる。
【００６７】
操作表示部５０は、表示部５１と操作部５２とを備えている。このうち操作部５２は、スタートボタンなどのスイッチ部５３とタッチパネル部５４とを備えている。表示部５１は、液晶ディスプレイなどで構成され、各種の操作画面、設定画面などを表示する機能を果たす。操作表示部５０が表示する表示内容の制御、操作表示部５０による操作の受け付けに関する制御はＣＰＵ４１が行う。
【００６８】
タッチパネル部５４は、表示部５１上に設けられている。タッチパネル部５４は、タッチペンや指などで押下された表示部５１上のタッチ位置（座標位置）や、フリック操作やドラッグ操作等を検出する。本発明の実施の形態では、ＣＰＵ４１は、タッチ位置が、表示部５１に表示している画面上のいずれの部分に該当するかを認識する。
【００６９】
次に、画像形成装置１０とリモートパネル４０が通信を確立する処理について説明する。プリントシステム７では、リモートパネル４０側から通信を確立する。まずユーザがリモートパネル４０で操作アプリケーションを立ち上げ、そのアプリが画像形成装置１０への通信確立要求を出し、これを受信した画像形成装置１０との間で通信が確立される。その後、通信が確立された画像形成装置１０とリモートパネル４０は接続状態となる。
【００７０】
図４は通信を確立する際にリモートパネル４０が行う処理を、図５は通信を確立する際に画像形成装置１０が行う処理を示す。
【００７１】
図４の処理では、まず、リモートパネル４０は、ユーザによって操作アプリが立ち上げられたら、通信を確立する処理（接続処理）を開始する（ステップＳ１０１）。
【００７２】
次に、初期ポート番号で、通信確立要求（接続要求）とともに自装置の装置ＩＤ（パネルＩＤ）を送信する（ステップＳ１０２）。
【００７３】
通信確立（接続）が可能である旨の応答と、通信に使用するポート番号（通信用ポート番号）を受信するまでは（ステップＳ１０３；Ｎｏ）、ステップＳ１０２に戻って処理を継続する。
【００７４】
画像形成装置１０から前述の応答と通信用ポート番号を受信したら（ステップＳ１０３；Ｙｅｓ）、通信で使用するポート番号を、初期ポート番号から、Ｓ１０３で受信した通信用ポート番号に切り替え、画像形成装置１０と通信が確立したことを確認し接続状態に移行して（ステップＳ１０４）、本処理を終了する。
【００７５】
図５の処理では、まず、画像形成装置１０は、リモートパネル４０から初期ポート番号で、通信確立要求（接続要求）とともにパネルＩＤを受信したか否かを調べる（ステップＳ２０１）。
【００７６】
受信していなければ（ステップＳ２０１；Ｎｏ）、本処理を終了する。図４のステップＳ１０２で送信された通信確立要求とパネルＩＤを受信したら（ステップＳ２０１；Ｙｅｓ）、その受信したパネルＩＤに通信用ポート番号を割り当てて、両者を関連付けして記憶する（ステップＳ２０２）。
【００７７】
その後、通信確立（接続）が可能である旨の応答と、割り当てた通信用ポート番号をリモートパネル４０に送信する（ステップＳ２０３）。
【００７８】
その後、通信に使用するポート番号を、初期ポート番号から通信用ポート番号に切り替え、リモートパネル４０と通信が確立したことを確認し接続状態に移行して（ステップＳ２０４）、本処理を終了する。
【００７９】
なお、図５の処理は、接続状態でない時、定期的に繰り返し行われる。画像形成装置１０は、あるリモートパネル４０と通信を確立し、接続状態である場合に、他のリモートパネル４０から通信確立要求を受信した場合は、通信確立が不可能である旨を返信する。
【００８０】
通信が確立され、接続状態に移行したリモートパネル４０には、操作表示部３０に表示されている画面と同じ画面が表示され、操作表示部３０にて可能な操作と同様の操作が可能となる。具体的には、画像形成装置１０からＨＴＭＬ（Hyper Text Markup Language）等で作成された画面データが送信され、これを受信したリモートパネル４０は、当該画面データに基づく画面を表示する。
【００８１】
その後、リモートパネル４０は、画面上にて押下された座標の情報を画像形成装置１０に送信する。画像形成装置１０は、この情報に基づいて、画面上のいずれのボタンが押下されたのかを認識し、操作表示部３０で受けた場合と同じく画面の遷移や、ジョブの実行等を行う。なお、操作表示部５０で操作表示部３０と同じ画面を表示している間、すなわち接続状態の間は、操作表示部３０での操作を無効とする。
【００８２】
このように、画像形成装置１０と通信を確立したリモートパネル４０では、操作表示部３０で行う操作と同じ操作でジョブの実行を指示することが可能となる。画像形成装置１０は、ポーリング受信やプルプリント等のように、外部の装置から画像を取得し印刷するジョブを実行する指示（第１指示）を、操作表示部３０から受けた場合と、リモートパネル４０から受けた場合で異なる処理を行う。
【００８３】
図６は、画像形成装置１０が第１指示に従って動作する場合の処理について説明する。まず、第１指示を受けたら（ステップＳ３０１）、当該第１指示に従って外部の装置から画像を取得する（ステップＳ３０２）。
【００８４】
画像形成装置１０がリモートパネル４０と通信中（接続状態）でなければ（ステップＳ３０３；Ｎｏ）、操作表示部３０から第１指示の投入が行われたと判断し、ステップＳ３０２で取得した画像の印刷を行い（ステップＳ３０８）、処理を終了する。
【００８５】
画像形成装置１０がリモートパネル４０と通信中（接続状態）であれば（ステップＳ３０３；Ｙｅｓ）、そのリモートパネル４０のパネルＩＤが登録済であるか否かを調べる（ステップＳ３０４）。本発明の実施の形態では、予め、通信予定のリモートパネル４０のパネルＩＤを登録しておき、当該パネルＩＤごとに専用の記憶領域（ボックス）を割り当てておく。
【００８６】
パネルＩＤが登録済でない場合、すなわち接続されているリモートパネル４０のパネルＩＤが未登録のパネルＩＤであれば（ステップＳ３０４；Ｎｏ）、ステップＳ３０２で取得した画像を、管理用（未登録ＩＤ用）のボックスに保存し（ステップＳ３０７）、処理を終了する。
【００８７】
パネルＩＤが登録済である場合、すなわち、通信中のリモートパネル４０のパネルＩＤが登録済みのパネルＩＤであれば（ステップＳ３０４；Ｙｅｓ）、ステップＳ３０２で取得した画像を、当該パネルＩＤに対応付けられた記憶領域（ボックス）に保存（ステップＳ３０５）する。
【００８８】
その後、ステップＳ３０２で取得した画像を通信中のリモートパネル４０に転送して（ステップＳ３０６）、処理を終了する。ステップＳ３０６にて画像を転送する際には、画像のサイズや解像度等をリモートパネル４０の表示部５１にてユーザが視認しやすいサイズに変換してから転送してもよい。これにより、リモートパネル４０の操作者は、画像形成装置１０が外部の装置から取得した画像を確認することができる。
【００８９】
このように、画像形成装置１０は、ポーリング受信やプルプリント等のように、外部の装置から画像を取得し印刷するジョブを実行する指示（第１指示）を操作表示部３０から受けた場合は、当該第１指示に従って画像を取得し、印刷する。第１指示をリモートパネル４０から受信した場合は、当該第１指示に従って画像を取得後、その画像を印刷せずに保存する。これにより、画像形成装置１０と離れた位置にあるリモートパネル４０からポーリング受信やプルプリント等のジョブを実行する指示を受けた場合に、印刷物ののぞき見や持ち去り等による情報漏洩を、ユーザが意識的な操作を行うことなく防止することができる。
【００９０】
次に、リモートパネル４０から受信した第１指示に従って外部の装置から取得し、ボックスに保存した画像（以後、取得画像と呼ぶ。）を読み出して印刷する場合について説明する。
【００９１】
画像形成装置１０は、取得画像を読み出して印刷するジョブを実行する指示（以後、第２指示と呼ぶ）を操作表示部３０から受けた場合、当該第２指示に従った動作を行わない。一方、第２指示をリモートパネル４０から受けた場合は、当該第２指示に従って取得画像を印刷する。
【００９２】
なお、ボックスに格納された画像（取得画像）は、当該ボックスに対応づけられたパネルＩＤのリモートパネル４０からの指示によってのみ、読み出しを可能とする。すなわち、第１指示の送信元のリモートパネル４０と、第２指示の送信元のリモートパネル４０が同一の端末でない場合は、取得画像の読み出しが行われず、印刷が行われない。これにより、画像形成装置１０に保存されている取得画像を、第１指示の送信元のリモートパネル４０の操作者以外のユーザが、勝手に印刷して持ち去ってしまうといった情報漏洩を防止することができる。
【００９３】
また、画像形成装置１０は、第１指示の送信元のリモートパネル４０（以後、投入機と呼ぶ）から、第２指示を受けた場合であっても、当該投入機との接続状態によっては、印刷を行わない。
【００９４】
画像形成装置１０は、上記接続状態の判定を、異なる条件で行う複数の判定モードを持つ。各判定モードは、ユーザが有効状態（ＯＮ状態）と無効状態（ＯＦＦ状態）を切り替えることができ、画像形成装置１０は、投入機との接続状態において、ＯＮ状態の判定モードの条件が成立するか否かを判定する。成立する判定モードがあれば、第２指示に従って印刷可能であると判断する。一方成立する判定モードが１つも無ければ、第２指示に従った印刷が不可能であると判断する。
【００９５】
本発明の実施の形態では、画像形成装置１０は、第１判定モード、第２判定モード、第３判定モードの３つの判定モードを持つ。第１判定モードは、画像形成装置１０と投入機が有線で接続されているのか、無線で接続されているのかを判定する判定モードである。第２判定モードは、無線通信における電波強度が所定値以上か否かを判定する判定モードである。第３判定モードは、投入機が画像形成装置１０の接合部に装着されているか否かを判定する判定モードである。
【００９６】
第１判定モードがＯＮの場合は、画像形成装置１０と投入機が直接有線で接続されているのか、無線で接続されているのかをチェックする。有線で接続されている場合は第１判定モードの示す条件が成立していると判定し、無線で接続されている場合は当該条件が不成立であると判定する。
【００９７】
第２判定モードがＯＮ状態の場合は、無線通信における電波強度が所定値以上か否かをチェックする。電波強度が所定値以上である場合は、第２判定モードの示す条件が成立していると判定し、所定値未満である場合は、当該条件が不成立であると判定する。
【００９８】
第３判定モードがＯＮ状態の場合は、投入機が画像形成装置１０の接合部に装着されているか否かをチェックする。装着されていれば、第３判定モードの示す条件が成立していると判定し、装着されていなければ、当該条件が不成立であると判定する。
【００９９】
なお、前述の３つの判定モードでは、実質的には投入機と画像形成装置１０との距離が、近いか否かを判断している。すなわち、有線で接続されている場合、電波強度が所定値以上である場合、接合部にリモートパネル４０が装着されている場合は投入機と画像形成装置１０との距離が近いと判断している。投入機と画像形成装置１０との距離が近ければ、判定モードの示す条件が成立したと判定する。一方、投入機と画像形成装置１０との距離が遠ければ、当該条件が不成立であると判定する。投入機と画像形成装置１０の距離が近いか否かの判断は他の方法でもよい。たとえば、ＧＰＳ等によって得た両者の位置情報から、距離を算出してもよい（他の方法で距離を算出してもよい）。
【０１００】
図７は、第２指示を受け付けた場合に画像形成装置１０が行う処理を示す。まず、第２指示を受け付けるまで待って（ステップＳ４０１；Ｎｏ）、第２指示を受け付けたら（ステップＳ４０１；Ｙｅｓ）、画像形成装置１０がリモートパネル４０と通信中（接続状態）か否かを調べる（ステップＳ４０２）。
【０１０１】
リモートパネル４０と通信中（接続状態）でなければ（ステップＳ４０２；Ｎｏ）、本処理を終了する。リモートパネル４０と通信中（接続状態）であれば（ステップＳ４０２；Ｙｅｓ）、その通信中のリモートパネル４０との接続状態が、第２指示に従って印刷可能な状態か否かの判定（接続状態判定処理）を行う（ステップＳ４０３）。接続状態判定処理の詳細については後述する。
【０１０２】
接続状態判定処理にて、印刷不可能であると判断された場合は（ステップＳ４０４；Ｎｏ）、本処理を終了する。
【０１０３】
接続状態判定処理にて印刷可能であると判断された場合は（ステップＳ４０４；Ｙｅｓ）、通信中のリモートパネル４０のパネルＩＤに対応するボックス内に取得画像があるか否かを調べる（ステップＳ４０５）。
【０１０４】
ボックス内に取得画像があれば（ステップＳ４０５；Ｙｅｓ）、その取得画像を印刷し（ステップＳ４０７）、本処理を終了する。
【０１０５】
ボックス内に取得画像がなければ（ステップＳ４０５；Ｎｏ）、印刷可能な画像が無い旨を通信中のリモートパネル４０に通知し（ステップＳ４０６）、本処理を終了する。
【０１０６】
図８は、図７のステップＳ４０３で行われる接続状態判定処理を示す。まず、各判定モードの設定内容（ＯＮ状態、ＯＦＦ状態）を読み出す（ステップＳ５０１）。
【０１０７】
第１判定モードがＯＮ状態であれば（ステップＳ５０２；Ｙｅｓ）、画像形成装置１０と接続中のリモートパネル４０が直接有線で接続されているのか、無線で接続されているのかを調べる（ステップＳ５０３）。具体的には、無線ＬＡＮモジュール２０を使用してデータの送受信を行っている場合は無線で接続されていると判断し、ＮＩＣ２１を使用してデータの送受信を行っている場合は有線で接続されているとＣＰＵ１１が判断する。
【０１０８】
有線で接続されていると判断した場合は（ステップＳ５０３；Ｙｅｓ）、フラグ１を立てて（ステップＳ５０４）ステップＳ５０５に進む。無線で接続されていると判断した場合は（ステップＳ５０３；Ｎｏ）、ステップＳ５０５に進む。第１判定モードがＯＦＦ状態であれば（ステップＳ５０２；Ｎｏ）、ステップＳ５０５に進む。
【０１０９】
第２判定モードがＯＮ状態であれば（ステップＳ５０５；Ｙｅｓ）、無線通信において、画像形成装置１０とリモートパネル４０間の電波強度が所定値以上か否かを調べる（ステップＳ５０６）。
【０１１０】
所定値は、ユーザが決定することができる。電波強度が所定値以上であれば（ステップＳ５０６；Ｙｅｓ）、フラグ２を立てて（ステップＳ５０７）、ステップＳ５０８に進む。
【０１１１】
電波強度が所定値未満であれば（ステップＳ５０６；Ｎｏ）、ステップＳ５０８に進む。第２判定モードがＯＦＦ状態の場合は（ステップＳ５０５；Ｎｏ）、ステップＳ５０８に進む。
【０１１２】
第３判定モードがＯＮ状態であれば（ステップＳ５０８；Ｙｅｓ）、接続中のリモートパネル４０が画像形成装置１０の接合部に装着されているか否かを調べる（ステップＳ５０９）。
【０１１３】
装着されている場合は（ステップＳ５０９；Ｙｅｓ）、フラグ３を立てて（ステップＳ５１０）、ステップＳ５１１に進む。装着されていない場合は（ステップＳ５０９；Ｎｏ）、ステップＳ５１１に進む。第３判定モードがＯＦＦ状態であれば（ステップＳ５０８；Ｎｏ）、ステップＳ５１１に進む。
【０１１４】
いずれかのフラグ（フラグ１〜フラグ３）が立っていれば（ステップＳ５１１；Ｙｅｓ）、判定結果を印刷可能と決定し（ステップＳ５１３）、本処理を終了する。
【０１１５】
いずれのフラグも立っていなければ（ステップＳ５１１；Ｎｏ）、判定結果を印刷不可能と決定し（ステップＳ５１２）、本処理を終了する。
【０１１６】
図９は、画像形成装置１０の接合部にリモートパネル４０を装着する様子を示す。本発明の実施の形態では、画像形成装置１０は操作表示部３０の下部に、操作表示部３０の内部に収納された状態と操作表示部３０から引き出された状態とにスライド移動可能に構成されたパネル支持部３６を備えており、当該パネル支持部３６が接合部に該当する。
【０１１７】
図９（Ａ）はパネル支持部３６をリモートパネル４０に収納している状態、図９（Ｂ）はパネル支持部３６を引き出した状態を示す。
【０１１８】
パネル支持部３６上にはインターフェース３５が設けられており、ユーザは、リモートパネル４０をパネル支持部３６に装着する場合、リモートパネル４０の装置接合部４９とインターフェース３５間での通信が可能になるよう接続する。図９（Ｃ）は、リモートパネル４０をパネル支持部３６に装着した場合の様子を示す。
【０１１９】
なお、接続状態では、リモートパネル４０と操作表示部３０に同画面が表示されるので、リモートパネル４０と画像形成装置１０が接続状態であって、そのリモートパネル４０が接合部に装着されている場合は、操作表示部３０の表示をＯＦＦにしてもよい。
【０１２０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２１】
本発明の実施の形態では、パネルＩＤと取得画像を関連付ける方法としてボックスを採用したが、他の方法で関連付けしてもよい。たとえば、取得画像のファイルにパネルＩＤ等の付加情報を付加して保存するようにしてもよい。その場合、第２指示が投入されたら、その投入機のパネルＩＤに関連付けられている取得画像が保存されているか否かを調べる。そして、投入機のパネルＩＤに関連付けられている取得画像が保存されている場合は、その取得画像を読み出して印刷する。
【０１２２】
本発明の実施の形態では、第１指示が実行を指示する動作としてポーリング受信と、プルプリント等のジョブを例に説明したが、これら第１指示が実行を指示する動作は、これらのジョブに限らない。外部の装置から画像を取得して印刷する動作（ジョブ）であれば、他の動作やジョブであってもよい。
【０１２３】
本発明の実施の形態では、インターフェース３５は、リモートパネル４０が接合部に装着されているか否かを判別するのみに使用されたが、接合部に装着されたリモートパネル４０と通信を行う際には、ＬＡＮ３を通じた通信に代えて、当該インターフェース３５経由でデータの送受信を行ってもよい。
【０１２４】
本発明の実施の形態の図８では、全ての判定モードがＯＦＦの場合は、いずれのフラグも立たず、印刷不可能としていたが、全ての判定モードがＯＦＦの場合は判定結果を印刷可能としてもよい。また、実施の形態で説明した判定モードは無くともよい。その場合、画像形成装置１０は操作パネル３０から第２指示が投入された場合は、当該第２指示を無効とし、リモートパネル４０から第２指示が投入された場合に、当該第２指示に従って動作すればよい。
【０１２５】
本発明の実施の形態では、リモートパネル４０は携帯型の端末であったが、ＰＣ端末などのような持ち歩きが不可能な端末であってもよい。
【０１２６】
本発明の実施の形態では、リモートパネル４０から第１指示を受けた場合、取得した画像を保存するとともに、そのリモートパネル４０にその画像を送信していたが、送信しなくともよい。
【符号の説明】
【０１２７】
３…ＬＡＮ
５…電話回線
６…ネットワーク網
７…プリントシステム
１０…画像形成装置
１１…ＣＰＵ
１２…ＲＯＭ
１３…ＲＡＭ
１４…不揮発メモリ
１５…ハードディスク装置
１６…画像処理部
１７…プリンタ部
１８…スキャナ部
１９…ネットワークＩ／Ｆ部
２０…無線ＬＡＮモジュール
２１…ＮＩＣ
２２…ファクシミリ通信部
２３…モデム・ＮＣＵ
２４…リモートパネル接合判断部
２５…電源制御部
２６…遠隔制御判断部
３０…操作表示部
３１…表示部
３２…操作部
３３…スイッチ部
３４…タッチパネル部
３５…インターフェース
３６…パネル支持部
４０（４０Ａ、４０Ｂ）…リモートパネル
４１…ＣＰＵ
４２…ＲＯＭ
４３…ＲＡＭ
４４…不揮発メモリ
４５…ハードディスク装置
４６…電源制御部
４７…ネットワークＩ／Ｆ部
４８…無線ＬＡＮモジュール
４９…装置接合部
５０…操作表示部
５１…表示部
５２…操作部
５３…スイッチ部
５４…タッチパネル部
６０…複合機
７０…ファクシミリ装置
８０…ルータ
【図１】
2015002480.tif 000003
【図２】
2015002480.tif 000004
【図３】
2015002480.tif 000005
【図４】
2015002480.tif 000006
【図５】
2015002480.tif 000007
【図６】
2015002480.tif 000008
【図７】
2015002480.tif 000009
【図８】
2015002480.tif 000010
【図９】
2015002480.tif 000011